(57)【特許請求の範囲】
【請求項１】
建物の屋上のパラペット上部に固定される架台本体に、パラペットの外壁面に沿って垂直に垂れ下がる垂直支柱部を備え、この垂直支柱部に、アンテナをパラペットの上方に突き出ないように設置するパラペット吊り下げ式アンテナ架台であって、前記垂直支柱部の上端に、パラペットの内壁面側に向かってパラペットに対して直交する方向に屈曲して水平に延びる水平支柱部を備え、前記架台本体に、前記水平支柱部を、その長さ方向の中心軸に沿って前後動可能、かつ、前記中心軸を回転中心にして回転可能に保持する支柱保持筒を設け、前記水平支柱部を、前記中心軸を回転中心にして回転させて前記垂直支柱部の先端を天に向けた状態とし、前記水平支柱部を中心軸に沿ってパラペットの内壁側に移動させて、前記垂直支柱部をパラペットの内壁側に引き込み可能としたことを特徴とするパラペット吊り下げ式アンテナ架台。
【請求項２】
前記支柱保持筒を、パラペットの内壁側に延長し、この延長部に、架台本体の前方側の荷重と、架台本体の後方側の荷重との均衡を図るカウンターウェイトを設置したことを特徴とする請求項１記載のパラペット吊り下げ式アンテナ架台。
【請求項３】
前記支柱保持筒に、中心軸に沿って前後方向に延びる縦切溝を設け、この縦切溝の前端から連続して支柱保持筒の周方向に、縦切溝に対して直交する横切溝を設け、前記垂直支柱部がパラペットの外壁面の前方で、前記垂直支柱部の先端が天を向いた状態で、前記支柱保持筒の縦切溝の前端に嵌るガイド突起を前記水平支柱部に設け、前記縦切溝に嵌る前記ガイド突起にガイドされながら前記水平支柱部の後方への引き込みを可能とし、前記縦切溝に嵌る前記ガイド突起が縦切溝の前端に位置する状態で、前記横切溝に沿って前記水平支柱部を、前記中心軸を回転中心にして回転可能とし、前記横切溝の先端位置に前記ガイド突起が位置する状態で、前記垂直支柱部の先端が垂直に下を向き、前記横切溝と前記縦切溝との接続位置に前記ガイド突起が位置する状態で、前記垂直支柱の先端が天に向くように、前記横切溝の周方向長さを設定している請求項１又は２記載のパラペット吊り下げ式アンテナ架台。
【請求項４】
前記垂直支柱部を、パラペットの外壁面の前方で先端を下に向けて垂直にした状態と、前記垂直支柱の先端を天に向け、前記垂直支柱部をパラペットの内壁側に引き込んだ状態とで、前記支柱保持筒と前記水平支柱部とを固定する押しボルトを前記支柱保持管に螺合させる請求項１〜３のいずれかの項に記載のパラペット吊り下げ式アンテナ架台。
【請求項５】
前記水平支柱部の後端に、前記水平支柱部に対して直交する操作用アームを前記水平支柱部に対し着脱自在に備える請求項１〜４のいずれかの項に記載のパラペット吊り下げ式アンテナ架台。
【発明の詳細な説明】
【技術分野】
【０００１】
この発明は、建物の屋上外周に形成されたパラペットに携帯電話基地局のアンテナを設置するために使用するパラペット吊り下げ式アンテナ架台に関する。
【背景技術】
【０００２】
第５世代（５Ｇ）移動通信システムにおける通信網で使用する電波は、飛ぶ距離が４Ｇに比べて短く、建物に遮られやすい性質もあるため、通信環境を充実させるためには、町中に多数の基地局アンテナを設置しなければならない。
【０００３】
従来、移動通信システムの基地局は、大きな鉄塔にアンテナを取り付けたり、オフィスビルやマンションなどの屋上の周囲に位置するパラペットにアンテナを取付けたりして設置されることが多い。
【０００４】
屋上のパラペットにアンテナを設置する場合、パラペットにポールタイプのアンテナ設置用架台を取付けて設置されることが多い（特許文献１〜３）。
【先行技術文献】
【特許文献】
【０００５】
【特許文献１】特開２００１−２３７６２２号公報
【特許文献２】特開２００３−６９３２２号公報
【特許文献３】特開２０１８−１８６４４０号公報
【発明の概要】
【発明が解決しようとする課題】
【０００６】
ところが、オフィスビルやマンションなどの屋上のパラペットにポールタイプのアンテナ設置用架台を設置すると、屋上にポールタイプのアンテナが立ち並び景観を害するという問題がある。
【０００７】
特に、景観規制が厳しい地域では、屋上のパラペットの上方にアンテナが突き出ないように設置することが要求されている。
【０００８】
このため、例えば、図１４に示すように、建物の屋上のパラペットＰの上部に固定される架台本体１００に、パラペットＰの外壁面に沿って垂直に垂れ下がる垂直支柱１０１を設け、この垂直支柱１０１に、アンテナＡをパラペットＰの上方に突き出ないように設置して、景観に配慮するということが行われている。
【０００９】
ところが、パラペットＰの外壁面に沿って垂直に垂れ下がる垂直支柱１０１にアンテナＡを設置した場合、アンテナＡのメンテナンスを行おうとすると、作業者がパラペットＰの内壁面側から外壁面側に身を乗り出して作業を行う必要があり、作業性が悪く、また、危険を伴うという問題がある。
【００１０】
そこで、この発明は、建物の屋上のパラペット上部に固定される架台本体に、パラペットの外壁面に沿って垂直に垂れ下がる垂直支柱部を設け、この垂直支柱部に、アンテナをパラペットの上方に突き出ないように設置するようにしたアンテナ設置用架台において、アンテナのメンテナンスの際に、作業者がパラペットの内壁面側から外壁面側に身を乗り出すことなく、安全に作業を行うことができるパラペット吊り下げ式アンテナ架台を提供しようとするものである。
【課題を解決するための手段】
【００１１】
前記の課題を解決するために、この発明は、建物の屋上のパラペット上部に固定される架台本体に、パラペットの外壁面に沿って垂直に垂れ下がる垂直支柱部を備え、この垂直支柱部に、アンテナをパラペットの上方に突き出ないように設置するパラペット吊り下げ式アンテナ架台において、前記垂直支柱部の上端に、パラペットの内壁面側に向かってパラペットに対して直交する方向に屈曲して水平に延びる水平支柱部を備え、前記架台本体に、前記水平支柱部を、その長さ方向の中心軸に沿って前後動可能、かつ、前記中心軸を回転中心にして回転可能に保持する支柱保持筒を設け、前記水平支柱部を、前記中心軸を回転中心にして回転させて前記垂直支柱の先端を天に向けた状態とし、前記水平支柱部を中心軸に沿ってパラペットの内壁側に移動させて、前記垂直支柱部をパラペットの内壁側に引き込み可能としたことを特徴とする。
【００１２】
前記支柱保持筒を、パラペットの内壁側に延長し、この延長部に、架台本体の前方側の荷重と、架台本体の後方側の荷重との均衡を図るカウンターウェイトを設置するようにしてもよい。
【００１３】
また、前記支柱保持筒に、中心軸に沿って前後方向に延びる縦切溝を設け、この縦切溝の前端から連続して支柱保持筒の周方向に、縦切溝に対して直交する横切溝を設け、前記垂直支柱部がパラペットの外壁面の前方で、前記垂直支柱部の先端が天を向いた状態で、前記支柱保持筒の縦切溝の前端に嵌るガイド突起を前記水平支柱部に設け、前記縦切溝に嵌る前記ガイド突起にガイドされながら前記水平支柱部の後方への引き込みを可能とし、前記縦切溝に嵌る前記ガイド突起が縦切溝の前端に位置する状態で、前記横切溝に沿って前記水平支柱部を、前記中心軸を回転中心にして回転可能とし、前記横切溝の先端位置に前記ガイド突起が位置する状態で、前記垂直支柱部の先端が垂直に下を向き、前記横切溝と前記縦切溝との接続位置に前記ガイド突起が位置する状態で、前記垂直支柱の先端が天に向くように、前記横切溝の周方向長さを設定してもよい。
【００１４】
前記垂直支柱部を、パラペットの外壁面の前方で先端を下に向けて垂直にした状態と、前記垂直支柱の先端を天に向け、前記垂直支柱部をパラペットの内壁側に引き込んだ状態とで、前記支柱保持筒と前記水平支柱部とを固定する押しボルトを前記支柱保持筒に螺合させてもよい。
【００１５】
前記水平支柱部の後端に、前記水平支柱部に対して直交する操作用アームを前記水平支柱部に対し着脱自在に備えるようにしてもよい。
【発明の効果】
【００１６】
以上のように、この発明によれば、建物の屋上に携帯電話基地局のアンテナを設置する際に、町並みの景観との調和を図ることができるように、アンテナをパラペットの上部から突き出ないように、パラペットの前方の外壁面に沿って先端が下を向き垂直に垂れ下がる垂直支柱部にアンテナを設置することができ、また、アンテナのメンテナンスの際には、アンテナを設置した垂直支柱部を、先端を天に向けてパラペットの後方の内壁側に引き込むことができるので、パラペットの内壁側の屋上から安全に作業を行うことができる。
【図面の簡単な説明】
【００１７】
【図１】この発明の実施形態に係るパラペット吊り下げ式アンテナ架台を使用してアンテナをパラペットの外壁面に沿って設置した状態を示す斜視図である。
【図２】図１の側面図である。
【図３】図１の平面図である。
【図４】図１のパラペット吊り下げ式アンテナ架台の架台本体部分の展開斜視図である。
【図５】図１のパラペット吊り下げ式アンテナ架台を使用してアンテナをパラペットに設置した状態を示す部分斜視図である。
【図６】図１のパラペット吊り下げ式アンテナ架台の水平支柱部の後端に操作用アームを装着した状態を示す斜視図である。
【図７】図１のパラペット吊り下げ式アンテナ架台の水平支柱部の後端の操作用アームを９０°回転させて垂直支柱部を水平にした状態を示す斜視図である。
【図８】図７の状態における部分拡大斜視図である。
【図９】図７の状態から水平支柱部を後方に少し引き込んだ状態を示す部分拡大斜視図である。
【図１０】図９の状態から水平支柱部の後端の操作用アームを９０°さらに回転させて垂直支柱部の先端が天に向くようにした状態を示す斜視図である。
【図１１】図１０の状態から水平支柱部を後方に引き込んだ状態を示す斜視図である。
【図１２】図１１の状態の部分拡大斜視図である。
【図１３】図１１の状態からアンテナをパラペットの内壁側に旋回させた状態を示す斜視図である。
【図１４】従来のパラペット吊り下げ式アンテナ架台を使用してアンテナをパラペットの外壁面に沿って設置した状態を示す斜視図である。
【発明を実施するための形態】
【００１８】
以下、この発明の実施形態に係るパラペット吊り下げ式アンテナ架台を図１〜図１３に基づき説明する。この実施形態に係るパラペット吊り下げ式アンテナ架台は、建物の屋上に携帯電話基地局のアンテナＡを設置する際に、町並みの景観との調和を図ることができるように、アンテナＡをパラペットＰの上部から突き出ないように、パラペットＰの前方の外壁面にアンテナＡを設置することができ（図１に示す状態）、また、アンテナＡのメンテナンスの際には、アンテナＡをパラペットＰの後方の内壁側に引き込んで、パラペットＰの内壁側の屋上から安全に作業を行うことができるようにしたものである（図１１、図１３に示す状態）。
【００１９】
この発明に係るパラペット吊り下げ式アンテナ架台は、図１〜図３に示すように、建物の屋上のパラペットＰに固定される架台本体１１に、アンテナＡを取付けるアンテナ支柱１２を備える。
【００２０】
アンテナ支柱１２は、パラペットＰの外壁面に沿って先端が下を向き垂直に垂れ下がる垂直支柱部１２ａと、垂直支柱部１２ａの上端からパラペットＰの内壁面側に向かってパラペットＰに対して直交する方向に屈曲する水平支柱部１２ｂとからなり、垂直支柱部１２ａにアンテナＡを取付け、水平支柱部１２ｂを架台本体１１に取付けるようになっている。
【００２１】
前記架台本体１１には、前記水平支柱部１２ｂを、その長さ方向の中心軸に沿って前後動可能、かつ、前記中心軸を回転中心にして回転可能に保持する支柱保持筒１３が設置されている。
【００２２】
前記架台本体１１は、パラペットＰの上部に固定されるパラペット固定部１４と、前記支柱保持筒１３を設置する取付け台座１５とを備える。
【００２３】
前記パラペット固定部１４は、開放部が下に向き、パラペットＰの上部を跨ぐ左右一対のコ字形の枠部材１６を備える。
【００２４】
コ字形の枠部材１６は、図４に示すように、水平部と垂直部とからなる前後一対のＬ形金具１６ａ、１６ｂを備える。この前後一対のＬ形金具１６ａ、１６ｂは、互いの水平部が上下に重なり、この重なり部分にボルト孔１６ｄを前後方向に複数個間隔を空けて設けている。そして、前後一対のＬ形金具１６ａ、１６ｂの対向する垂直部の間隔をパラペットＰの取付け幅に合わせて前後動させ、パラペットＰの取付け幅に適合するボルト孔１６ｄを選択してボルト１６ｃを挿通し、このボルト１６ｃにワッシャ１６ｅを介してナット１６ｆを締め付けることによって、前後一対のＬ形金具１６ａ、１６ｂの対向する垂直部の間隔をパラペットＰの取付け幅に応じて調整できるようにしている。
【００２５】
前記Ｌ形金具１６ａ、１６ｂの対向する垂直部の下端には、前面側圧接板１６ｇと後面側圧接板１６ｈが設置されている。後面側圧接板１６ｈは、後方側のＬ形金具１６ｂの下端にボルト１６ｉによって前後動自在に設置され、ボルト１６ｉによって後面側圧接板１６ｈを前方に押出すことによって、前面側圧接板１６ｇと後面側圧接板１６ｈとによってパラペットＰを挟持し、パラペット固定部１４をパラペットＰに対してしっかりと固定できるようにしている。
【００２６】
前記支柱保持筒１３の取付け台座１５は、左右一対のコ字形の枠部材１６に対して直交するように架け渡され、その両端が左右のＬ形金具１６ａの水平部に熔接固定されている。前記取付け台座１５の下面には、図２に示すように、パラペットＰの上面を押圧する押圧板１６ｊが高さ調整可能に設置されている。
【００２７】
前記支柱保持筒１３は、架台本体１１の前後の幅の少なくとも２倍以上の長さを有し、その前端が前記支柱保持筒１３の取付け台座１５に熔接固定され、後端がパラペットＰの内壁側に大きく突き出している。
【００２８】
アンテナ支柱１２の水平支柱部１２ｂは、前記支柱保持筒１３内に挿通され、前記垂直支柱部１２ａがパラペットＰの外壁面側に位置する状態で、後端が前記支柱保持筒１３の後方に突き出す長さを有している。
【００２９】
前記支柱保持筒１３の後端の下方には、架台本体１１を中心にした前方側の荷重と、後方側の荷重との均衡を図るために、カウンターウェイト１７を取付けている。
【００３０】
カウンターウェイト１７は、建物の屋上に設置される台座部１７ａと、この台座部１７ａから上方に立ち上がる立板部１７ｂとからなる。前記支柱保持筒１３の後端の下面には、カウンターウェイト１７の立板部１７ｂの上面にボルト固定される連結台座１８が熔接されている。
【００３１】
前記カウンターウェイト１７の台座部１７ａと架台本体１１とは、連結金具１９によって連結されている。この連結金具１９は、前記Ｌ形金具１６ｂの左右の垂直部を繋ぐ連結板１９ａと、前端がこの連結板１９ａに連結され、後端がカウンターウェイト１７の台座部１７ａの前端に連結される逆Ｌ字形の連結板１９ｂとからなる。
【００３２】
前記アンテナ支柱１２の水平支柱部１２ｂは、前記のように、支柱保持筒１３内に、長手方向の中心軸に沿って前後方向に移動可能、かつ、前記中心軸を回転中心にして回転可能に保持されている。
【００３３】
前記支柱保持筒１３には、中心軸に沿って前後方向に延びる縦切溝１３ａと、この縦切溝１３ａの前端から連続して周方向に、縦切溝１３ａに対して直交する横切溝１３ｂとが設けられ、この縦切溝１３ａと横切溝１３ｂに嵌るガイド突起２０を水平支柱部１２ｂに取付けることにより、縦切溝１３ａに沿って水平支柱部１２ｂが支柱保持筒１３内で前後動し、また、横切溝１３ｂに沿って水平支柱部１２ｂが支柱保持筒１３内で回転するようにしている。
【００３４】
前記ガイド突起２０は、前記支柱保持筒１３の外面側から水平支柱部１２ｂに挿し込むボルトによって構成している。
【００３５】
前記ガイド突起２０は、図１に示すように、アンテナ支柱１２の垂直支柱部１２ａが、パラペットＰの外壁面の前方で先端が下を向いた垂直の状態で、図５に示すように、横切溝１３ｂの先端に位置する。
【００３６】
前記横切溝１３ｂは、支柱保持筒１３の周方向に１８０°の範囲に設けられている。この横切溝１３ｂは、縦切溝１３ａから横切溝１３ｂの先端までの距離の半分の位置、即ち、縦切溝１３ａから周方向に９０°の位置で前後方向に延びる連絡縦切溝１３ｃによって前後２段に分け、横切溝１３ｂが周方向に一直線にならないようにして、横切溝１３ｂによって支柱保持筒１３の強度が不足しないようにしている。前記縦切溝１３ａの前後方向の長さは、約２００ｍｍ、また、前記連絡縦切溝１３ｃの前後方向の長さは、約２０ｍｍにしている。
【００３７】
前記支柱保持筒１３には、前記のように、縦切溝１３ａの前端から連続して、縦切溝１３ａに直交するように横切溝１３ｂが設けられ、縦切溝１３ａの前端にガイド突起２０が位置する状態で垂直支柱部１２ａがパラペットＰの外壁面の前方に位置し、この状態で、前記支柱保持筒１３内の水平支柱部１２ｂを、中心軸を中心にしてガイド突起２０が横切溝１３ｂの先端位置に当接する位置まで回転させると、垂直支柱部１２ａは、図１〜図３に示すように、先端が下向きの垂直状態になる。
【００３８】
前記横切溝１３ｂは、支柱保持筒１３の周方向に１８０°の範囲で設けられているので、前記横切溝１３ｂの先端位置に嵌るガイド突起２０を横切溝１３ｂに沿って縦切溝１３ａの前端位置まで移動するように、前記支柱保持筒１３内の水平支柱部１２ｂを、前記支柱保持筒１３の中心軸を中心にして１８０°回転させると、図１０に示すように、垂直支柱部１２ａの先端が天を向いた状態で垂直になる。
【００３９】
そして、垂直支柱部１２ａの先端が天を向いた図１０に示す状態から、水平支柱部１２ｂを支柱保持筒１３内で後方へ引き込むと、水平支柱部１２ｂのガイド突起２０が縦切溝１３ａにガイドされながら、図１１及び図１２に示すように、水平支柱部１２ｂが後方に真っ直ぐに引き込まれ、垂直支柱部１２ａがパラペットＰの外壁面の前方位置からパラペットＰの内壁近くまで移動する。
【００４０】
前記のように、水平支柱部１２ｂは、支柱保持筒１３内で、その長さ方向の中心軸に沿って前後動可能、かつ、前記中心軸を回転中心にして回転可能に、支柱保持筒１３に支持されているが、垂直支柱部１２ａの先端が垂直に下を向く、図１に示すアンテナＡの設置状態と、垂直支柱部１２ａの先端を天に向けて、パラペットＰの内壁面側に引き込んだ図１１に示す状態とで、水平支柱部１２ｂが支柱保持筒１３内で、前後に移動したり、回転したりしないように、支柱保持筒１３と水平支柱部１２ｂとを固定するために、支柱保持筒１３に、水平支柱部１２ｂを外面から押し付ける押ボルト２１を螺合している。
【００４１】
この押ボルト２１は、支柱保持筒１３の前端部と後端部にそれぞれ２個ずつ螺合している。また、前記支柱保持筒１３と水平支柱部１２ｂとには、垂直支柱部１２ａの先端が下を向いた図１に示すアンテナＡの設置状態と、垂直支柱部１２ａの先端を天に向けて、パラペットＰの内壁面側に引き込んだ図１１に示す状態とで、前記支柱保持筒１３と水平支柱部１２ｂとに貫通孔を設け、この貫通孔に固定ボルト２２を挿し込むことにより、前記押ボルト２１の固定力を補強している。この固定ボルト２２は、カウンターウェイト１７の立板部１７ｂに取付けられている。
【００４２】
前記支柱保持筒１３内で水平支柱部１２ｂを前後動させたり、回転させたりするには、図６に示すように、支柱保持筒１３の後端から後方に突き出たアンテナ支柱１２の水平支柱部１２ｂに操作用アーム２３を、水平支柱部１２ｂに対して直交するように取付けて行う。この操作用アーム２３は、アンテナ支柱１２の水平支柱部１２ｂに対して取付け金具２４を介して着脱自在に取付けることができ、操作用アーム２３を操作しないときには、取付け金具２４を外して、カウンターウェイト１７の台座部１７ａの後面下端に保管できるようにしている。
【００４３】
この発明に係る設置用架台を使用して、パラペットＰにアンテナＡを設置するには、次のような手順で行う。
【００４４】
まず、前記架台本体１１の前後一対のＬ形金具１６ａ、１６ｂの対向する垂直部の間隔をパラペットＰの取付け幅に応じて調整し、架台本体１１に設置された支柱保持筒１３が水平でパラペットＰに対して直交するように、パラペット固定部１４をパラペットＰの上部に取付ける。そして、後面側圧接板１６ｈを前方に押出すことによって、前面側圧接板１６ｇと後面側圧接板１６ｈとによってパラペットＰを挟持し、パラペット固定部１４をパラペットＰに対してしっかりと固定する。
【００４５】
前記支柱保持筒１３の後端の下方にカウンターウェイト１７を取付け、カウンターウェイト１７の台座部１７ａと架台本体１１とを連結金具１９によって連結する。
【００４６】
次に、前記支柱保持筒１３と水平支柱部１２ｂとを固定する押ボルト２１を緩め、前記支柱保持筒１３と水平支柱部１２ｂとを貫通する固定ボルト２２を抜き取り、支柱保持筒１３と水平支柱部１２ｂとの固定を解除した状態にする。
【００４７】
前記水平支柱部１２ｂの後端に操作用アーム２３を取付け、垂直支柱部１２ａの先端が天を向いた状態で、操作用アーム２３を後方へ引き込むと、支柱保持筒１３の縦切溝１３ａに水平支柱部１２ｂのガイド突起２０がガイドされながら支柱保持筒１３内で水平支柱部１２ｂが後方にスライドし、図１３に示すように、アンテナ支柱１２の垂直支柱部１２ａがパラペットＰの内壁側近くまで引き込まれる。
【００４８】
垂直支柱部１２ａをパラペットＰの内壁側近くまで引き込んだ状態で、図１３に示すように、アンテナＡを、パラペットＰの内壁側に向けた状態で垂直支柱部１２ａに取付けた後、図１１及び図１２に示すように、垂直支柱部１２ａを回転中心にしてアンテナＡがパラペットＰの外壁側に向くように回転させる。
【００４９】
次いで、前記操作用アーム２３を、図１１の状態から図１０に示すように、前方に押し出して、垂直支柱部１２ａをパラペットＰの外壁側に移動させ、水平支柱部１２ｂのガイド突起２０を支柱保持筒１３の縦切溝１３ａの前端位置に位置させる。
【００５０】
この状態で、前記操作用アーム２３を、図７、図９に示すように、反時計方向に９０°回転させて、水平支柱部１２ｂのガイド突起２０を支柱保持筒１３の横切溝１３ｂの中間位置まで移動させて、垂直支柱部１２ａを水平な状態にする。
【００５１】
この後、操作用アーム２３を前方へ少し押出し、ガイド突起２０を、図８に示すように、連絡縦切溝１３ｃの前端まで移動させ、この状態で、さらに前記操作用アーム２３を、図６に示すように、反時計方向に９０°回転させて、水平支柱部１２ｂのガイド突起２０を横切溝１３ｂの先端位置まで移動させると、図６に示すように、垂直支柱部１２ａが、先端が下を向くよう垂直になり、垂直支柱部１２ａに取付けられたアンテナＡが、パラペットＰの外壁面に沿って、アンテナＡの上部がパラペットＰの上部から突き出ないように設置される。
【００５２】
この後、図１に示すように、水平支柱部１２ｂの後端の操作用アーム２３を取外し、支柱保持筒１３と水平支柱部１２ｂに設けた貫通孔に固定ボルト２２を挿し込み、押ボルト２１を締め付けて、支柱保持筒１３と水平支柱部１２ｂとを固定することにより、アンテナＡの設置作業が完了する。
【００５３】
このアンテナＡの設置状態からアンテナＡのメンテナンスを行う際には、次のような手順で、垂直支柱部１２ａの先端が下を向いた図１に示すアンテナＡの設置した状態から、垂直支柱部１２ａを、図１３に示すパラペットＰの内壁側に引き込むことができる。
まず、前記支柱保持筒１３と水平支柱部１２ｂとを固定する押ボルト２１を緩め、前記支柱保持筒１３と水平支柱部１２ｂとを貫通する固定ボルト２２を抜き取り、支柱保持筒１３と水平支柱部１２ｂとの固定を解除した状態にして、図６に示すように、前記水平支柱部１２ｂの後端に操作用アーム２３を取付ける。
【００５４】
そして、前記操作用アーム２３を、図７、図８に示すように、時計方向に９０°回転させて、水平支柱部１２ｂのガイド突起２０を支柱保持筒１３の横切溝１３ｂの中間位置まで移動させて、垂直支柱部１２ａを水平な状態にする。
【００５５】
この後、操作用アーム２３を前方へ少し引き込み、ガイド突起２０を、図９に示すように、連絡縦切溝１３ｃの後端まで移動させ、この状態で、さらに操作用アーム２３を、図１０に示すように、時計方向に９０°回転させて、水平支柱部１２ｂのガイド突起２０を縦切溝１３ａの前端位置まで移動させると、図１０に示すように、垂直支柱部１２ａが、先端が天を向くよう垂直になる。
【００５６】
前記垂直支柱部１２ａの先端が天を向いた図１０に示す状態で、操作用アーム２３を後方へ引き込むと、支柱保持筒１３の縦切溝１３ａに水平支柱部１２ｂのガイド突起２０がガイドされながら支柱保持筒１３内で水平支柱部１２ｂが後方にスライドし、図１１に示すように、アンテナ支柱１２の垂直支柱部１２ａがパラペットＰの内壁側近くまで引き込まれる。
【００５７】
この後、支柱保持筒１３と水平支柱部１２ｂに設けた貫通孔に固定ボルト２２を挿し込み、押ボルト２１を締め付けて、支柱保持筒１３と水平支柱部１２ｂとを固定してから、図１３に示すように、アンテナＡを、垂直支柱部１２ａを回転中心にしてパラペットＰの内壁側に向けると、パラペットＰの内壁側の屋上から作業者がパラペットＰの外側に身を乗り出すことなく、安全にアンテナＡのメンテナンスを行うことができる。
以上のように、この発明に係る設置用架台を使用すると、パラペットＰの内壁側の屋上から安全に、アンテナＡの設置作業とメンテナンス作業を行うことができる。
【００５８】
この発明は前述した実施形態に何ら限定されるものではなく、この発明の要旨を逸脱しない範囲において、さらに種々の形態で実施し得ることは勿論のことであり、本発明の範囲は、特許請求の範囲によって示され、さらに特許請求の範囲に記載の均等の意味、および範囲内の全ての変更を含む。
【符号の説明】
【００５９】
１１    ：架台本体
１２    ：アンテナ支柱
１２ａ  ：垂直支柱部
１２ｂ  ：水平支柱部
１３    ：支柱保持筒
１３ａ  ：縦切溝
１３ｂ  ：横切溝
１３ｃ  ：連絡縦切溝
１４    ：パラペット固定部
１５    ：取付け台座
１６    ：枠部材
１６ａ、１６ｂ  ：Ｌ形金具
１６ｃ  ：ボルト
１６ｄ  ：ボルト孔
１６ｅ  ：ワッシャ
１６ｆ  ：ナット
１６ｇ  ：前面側圧接板
１６ｈ  ：後面側圧接板
１６ｉ  ：ボルト
１６ｊ  ：押圧板
１７    ：カウンターウェイト
１７ａ  ：台座部
１７ｂ  ：立板部
１８    ：連結台座
１９    ：連結金具
１９ａ、１９ｂ  ：連結板
２０    ：ガイド突起
２１    ：押ボルト
２２    ：固定ボルト
２３    ：操作用アーム
２４    ：取付け金具
Ａ      ：アンテナ
Ｐ      ：パラペット
【要約】      （修正有）【課題】身を乗り出すことなく安全にアンテナのメンテナンス作業を行うことができるパラペット吊り下げ式アンテナ架台を提供する。【解決手段】パラペット吊り下げ式アンテナ架台は、架台本体１１に、パラペットＰの外壁面に沿って垂直に垂れ下がる垂直支柱部１２ａを備える。垂直支柱部１２ａにアンテナＡをパラペットの上方に突き出ないように設置し、垂直支柱部１２ａの上端に、パラペットの内壁面側に向かってパラペットに対して直交する方向に屈曲して水平に延びる水平支柱部１２ｂを設ける。架台本体１１に、水平支柱部を、その長さ方向の中心軸に沿って前後動可能、かつ、中心軸を回転中心にして回転可能に保持する支柱保持筒１３を設ける。水平支柱部を、中心軸を回転中心にして回転させて垂直支柱部の先端を天に向けた状態とし、水平支柱部を中心軸に沿ってパラペットの内壁側に移動させて、垂直支柱部をパラペットの内壁側に引き込み可能とする。【選択図】図１【図１】
0006831982.tif 000002
【図２】
0006831982.tif 000003
【図３】
0006831982.tif 000004
【図４】
0006831982.tif 000005
【図５】
0006831982.tif 000006
【図６】
0006831982.tif 000007
【図７】
0006831982.tif 000008
【図８】
0006831982.tif 000009
【図９】
0006831982.tif 000010
【図１０】
0006831982.tif 000011
【図１１】
0006831982.tif 000012
【図１２】
0006831982.tif 000013
【図１３】
0006831982.tif 000014
【図１４】
0006831982.tif 000015